(57)【要約】【課題】  ビルなどの建物内の空調や照明などの屋内環境を建物内の人の配置に応じて効率的にかつ人間工学的に制御できる屋内環境制御システムを提供する。【解決手段】  各個人のＩＤ情報がそれぞれ格納された複数のＲＦＩＤタグｔ１〜ｔ４と、屋内の或る領域内において当該領域を構成する複数のエリア（１）〜（６）にそれぞれ対応して設けられ、それぞれの検知範囲Ｄ１〜Ｄ６が各エリアをそれぞれカバーするとともに、ＲＦＩＤタグｔ１〜ｔ４からの信号を検知してＩＤ情報を読み取る複数のＲＦＩＤタグリーダＲ１〜Ｒ６と、各ＲＦＩＤタグリーダＲ１〜Ｒ６の読取結果に基づいて、エリアごとの屋内環境を制御するコントローラＭＣおよびＣ１〜Ｃ４とから屋内環境制御システムを構築する。【選択図】  図３
2008281239.tif 000002
【特許請求の範囲】
【請求項１】
屋内環境制御システムであって、
個人のＩＤ情報が格納されたＩＤタグと、
屋内の或る領域内において当該領域を構成する少なくとも一つのエリアに対応して設けられ、その検知範囲が前記エリアをカバーするとともに、前記ＩＤタグからの信号を検知して前記ＩＤ情報を読み取るＩＤタグ読取手段と、
前記ＩＤタグ読取手段の読取結果に基づいて、前記エリアの屋内環境を制御する制御手段と、
を備えた屋内環境制御システム。
【請求項２】
請求項１において、
前記ＩＤ情報が、個人の識別番号、性別、年齢または特性のいずれか一つまたは二つ以上の情報を有している、
ことを特徴とする屋内環境制御システム。
【請求項３】
請求項１において、
前記ＩＤタグが、ＲＦＩＤタグである、
ことを特徴とする屋内環境制御システム。
【請求項４】
請求項３において、
前記ＲＦＩＤタグが、アクティブタグである、
ことを特徴とする屋内環境制御システム。
【請求項５】
請求項１において、
前記ＩＤタグが、温度センサ、湿度センサまたは光センサを備えたセンサ付ＩＤタグである、
ことを特徴とする屋内環境制御システム。
【請求項６】
請求項１において、
前記屋内環境が、屋内の温度、湿度または照度のいずれか一つまたは二つ以上の環境要素である、
ことを特徴とする屋内環境制御システム。
【請求項７】
請求項１において、
前記ＩＤタグ読取手段が、前記ＩＤタグからの信号強度または信号到達時間をさらに検出している、
ことを特徴とする屋内環境制御システム。
【請求項８】
請求項１において、
前記エリアに対応して設けられた空調機器を備え、前記制御手段は、前記ＩＤタグ読取手段の読取結果に基づき、エリア内の人数に応じて、空調機器をオンしたりオフしたり、または空調機器の空調を強めたり弱めたりしている、
ことを特徴とする屋内環境制御システム。
【請求項９】
請求項１において、
前記エリアが複数であって、当該各エリアに対応して設けられた複数の空調機器を備え、前記制御手段は、前記各ＩＤタグ読取手段の読取結果に基づいて、相対的に人が多いエリアの空調機器の空調を強めるとともに、相対的に人が少ないエリアの空調機器の空調を弱めるよう、各空調機器を制御している、
ことを特徴とする屋内環境制御システム。
【請求項１０】
請求項１において、
前記エリアに対応して設けられた空調機器を備え、前記制御手段は、前記ＩＤタグ読取手段の読取結果に基づいて、人が移動しているエリアの空調機器の空調を強めるとともに、人が移動していないエリアの空調機器の空調を弱めるよう、空調機器を制御している、
ことを特徴とする屋内環境制御システム。
【請求項１１】
請求項１において、
前記エリアに対応して設けられた照明器具を備え、前記制御装置は、人が居るエリアの照明器具をオンとし、人が居ないエリアの照明器具をオフとするよう、各照明器具を制御している、
ことを特徴とする屋内環境制御システム。
【請求項１２】
請求項１１において、
前記照明器具が調光機能を有しており、前記制御装置が、前記エリアの照度に応じて前記照明器具の輝度を調整するよう前記照明器具を制御している、
ことを特徴とする屋内環境制御システム。
【請求項１３】
請求項１１において、
前記照明器具がＬＥＤ照明器具であり、前記制御装置が、前記エリアの照度に応じて前記ＬＥＤ照明器具の輝度を調整し、または季節に応じて前記ＬＥＤ照明器具の色温度を調整するよう、前記ＬＥＤ照明器具を制御している、
ことを特徴とする屋内環境制御システム。
【請求項１４】
請求項１において、
各個人のＩＤ情報に優先順位が付けられており、前記制御手段は、同じエリア内に複数の人が存在している場合に、前記優先順位に基づいて当該エリアの屋内環境を制御している、
ことを特徴とする屋内環境制御システム。
【請求項１５】
請求項１において、
前記エリアに設けられ、前記ＩＤタグ読取手段とは別の方法によって前記エリア内に人が存在することを検知するセンサ手段をさらに備え、
前記制御手段は、当該センサ手段の検知結果に基づいて制御している、
ことを特徴とする屋内環境制御システム。
【発明の詳細な説明】
【技術分野】
【０００１】
本発明は、ビルなどの建物内において空調や照明などの屋内環境を自動的に制御するための屋内環境制御システムに関し、詳細には、ＩＤタグを用いて建物内の人の配置を検出することにより、建物内の屋内環境を効率的にかつ人間工学的に管理して省エネを実現するためのシステムに関する。
【背景技術】
【０００２】
ビル内の空調や照明を管理するシステムとして、たとえば特開平２−８５９８６号公報に示すビル管理システムが提案されている。このシステムは、ビル内の職場に勤務する者が出退勤時にタイムレコーダやＩＤカードリーダに打刻した際に、制御部が、当該打刻情報を予め記憶された情報と照合して、その照合結果に基づいてビル内の空調および照明を制御するというものである。
【特許文献１】特開平２−８５９８６号公報
【発明の開示】
【発明が解決しようとする課題】
【０００３】
しかしながら、前記従来のシステムでは、職場全体の空調および照明を管理するだけであって、職場内の或る限られたエリアにしか人がいない場合でも、職場全体の空調や照明がオンされることになるため、省エネ効果に乏しい。また、エリアごとに個別に空調機器や照明器具を配置するようにしても、各機器や器具のスイッチを手動で操作するのは非常に面倒である。
【０００４】
本発明は、このような従来の実情に鑑みてなされたものであり、本発明が解決しようとする課題は、建物内の空調や照明などの屋内環境を建物内の人の配置に応じて効率的にかつ人間工学的に制御することができる屋内環境制御システムを提供することにある。
【課題を解決するための手段】
【０００５】
請求項１の発明に係る屋内環境制御システムは、個人のＩＤ情報が格納されたＩＤタグと、屋内の或る領域内において当該領域を構成する少なくとも一つのエリアに対応して設けられ、その検知範囲が前記エリアをカバーするとともに、ＩＤタグからの信号を検知してＩＤ情報を読み取るＩＤタグ読取手段と、ＩＤタグ読取手段の読取結果に基づいて、エリアの屋内環境を制御する制御手段とを備えている。
【０００６】
請求項１の発明によれば、人がＩＤタグを携帯したまま、屋内の領域内の或るエリアに入ると、当該エリアに設けられたＩＤタグ読取手段がＩＤタグからの信号を検知してＩＤ情報を読み取る。これにより、屋内の領域内において、どのエリアに人が居るか、また何人の人が居るか、さらには誰がどのエリアに居るかなどの情報（プレゼンス情報）が制御手段に入力される。制御手段は、ＩＤタグ読取手段の読取結果に基づいて、エリアの屋内環境を制御する。すなわち、制御手段は、たとえば、人が居るエリアについてのみ空調や照明をオンにするとともに、人数に応じてそのエリアの温度や湿度、照度などを調整する。このようにして、建物内の屋内環境を効率的にかつ人間工学的に制御できるようになる。
【０００７】
請求項２の発明においては、ＩＤ情報が、個人の識別番号、性別、年齢または特性のいずれか一つまたは二つ以上の情報を有している。
【０００８】
この場合には、制御手段が、ＩＤタグ読取手段により読み取られた個人の識別番号、性別、年齢または特性に応じて、人が居るエリアの温度や湿度、照度などを調整する。
【０００９】
ＩＤ情報が個人の性別である場合には、たとえばトイレまたは更衣室の入口付近に設けられたＩＤタグ読取手段が、接近する人の性別を読み取ることにより、その性別に応じて紳士用または婦人用のいずれか一方の部屋の照明および空調がオンにされる。また、ＩＤ情報が個人の年齢である場合には、ＩＤタグ読取手段により読み取られた年齢が、予め設定された一定年齢以上のときに、たとえば空調が効きすぎないように空調が弱めに調整される。さらに、ＩＤ情報が個人の特性（たとえば暑がりか寒がりかなど）である場合には、ＩＤタグ読取手段により読み取られた個人の特性に応じて、空調が調整される。
【００１０】
ＩＤタグは、請求項３の発明に記載されているように、ＲＦＩＤ（radio frequency identification）タグが好ましく、より好ましくは、請求項４の発明に記載されているように、ＲＦＩＤタグの中でもアクティブタグがよい。
【００１１】
このアクティブＲＦＩＤタグの場合には、電池を内蔵していて自ら電波を発するので、受信距離を長くとることができる。また、電池を内蔵していることでセンサを取り付けることが可能であり、これにより、アクティブＲＦＩＤタグが置かれている環境の変化に応じて、屋内環境をリアルタイムで細やかに調整できるようになる。
【００１２】
請求項５の発明においては、ＩＤタグが、温度センサ、湿度センサまたは光センサを備えたセンサ付ＩＤタグである。
【００１３】
この場合には、上述したように、ＩＤタグが存在する環境（温度、湿度、照度）の変化に応じて、屋内環境をリアルタイムで細やかに調整できるようになる。
【００１４】
屋内環境は、すでに説明しているように、屋内の温度、湿度または照度などのいずれか一つであるが、これらの二つ以上の環境要素が組み合わされていてもよい（請求項６の発明参照）。
【００１５】
請求項７の発明においては、ＩＤタグ読取手段が、ＩＤタグからの信号強度または信号到達時間をさらに検出している。
【００１６】
この場合には、各ＩＤタグ読取手段の読取結果において、信号強度の変化や信号到達時間の変化の有無により、ＩＤタグを携帯している人が移動しているのか、または同じ場所に留まっているのかが分かるため、そのような人の動きに応じた屋内環境の調整が可能になる。また、この場合には、各ＩＤタグ読取手段の読取結果（すなわち、信号強度または信号到達時間の差）により、ＩＤタグを携帯している人の位置座標を正確に算出できるようになるので、より細やかな屋内環境制御が行えるようになる。
【００１７】
請求項８の発明においては、エリアに対応して設けられた空調機器を備えており、制御手段は、ＩＤタグ読取手段の読取結果に基づいて、エリア内の人数に応じて、空調機器をオンしたりオフしたり、または空調機器の空調を強めたり弱めたりしている。
【００１８】
この場合には、人が居るエリアのみの空調機器が駆動されることになるので、建物内の空調を効率的に管理して省エネを実現できるようになるばかりでなく、エリア内に人が多ければ空調機器の風量が強められ、人が少なければ風量が弱められることになるので、建物内の空調をより効率的に管理して一層の省エネを実現できるようになる。
【００１９】
請求項９の発明においては、エリアが複数であって、当該各エリアに対応して設けられた複数の空調機器を備えており、制御手段は、各ＩＤタグ読取手段の読取結果に基づいて、相対的に人が多いエリアの空調機器の空調を強めるとともに、相対的に人が少ないエリアの空調機器の空調を弱めるよう、各空調機器を制御している。
【００２０】
この場合には、人が多いエリアにおける空調機器についてのみ、風量が強められるので、建物内の空調を効率的に管理して省エネを実現できるようになる。
【００２１】
請求項１０の発明においては、エリアに対応して設けられた空調機器を備えており、制御手段は、ＩＤタグ読取手段の読取結果に基づいて、人が移動しているエリアの空調機器の空調を強めるとともに、人が移動していないエリアの空調機器の空調を弱めるよう、空調機器を制御している。
【００２２】
この場合には、人が移動しているエリアにおける空調機器についてのみ、風量が強められるので、建物内の空調を効率的に管理して省エネを実現できるようになる。
【００２３】
請求項１１の発明においては、エリアに対応して設けられた照明器具を備えており、制御装置は、人が居るエリアの照明器具をオンとし、人が居ないエリアの照明器具をオフとするよう、照明器具を制御している。
【００２４】
この場合には、人が居るエリアのみの照明器具がオンされることになるので、建物内の照明を効率的に管理して省エネを実現できるようになる。
【００２５】
請求項１２の発明においては、照明器具が調光機能を有しており、制御装置が、エリアの照度に応じて照明器具の輝度（光度）を調整するよう照明器具を制御している。
【００２６】
この場合には、各エリアの照度に応じて照明器具の輝度が調整されるので、建物内の照明をリアルタイムで細やかに管理できるようになって、省エネを実現できる。
【００２７】
請求項１３の発明においては、照明器具がＬＥＤ照明器具であり、制御装置が、エリアの照度に応じてＬＥＤ照明器具の輝度を調整し、または季節に応じてＬＥＤ照明器具の色温度を調整するよう、ＬＥＤ照明器具を制御している。
【００２８】
この場合には、エリアの照度に応じてＬＥＤ照明器具の輝度が調整されるので、建物内の照明をリアルタイムで細やかに管理できるようになって、省エネを実現できる。また、この場合には、ＬＥＤ照明器具の色光をたとえば夏場は寒色系の蛍光色とし、冬場は暖色系の昼光色とするなどして、季節に応じてＬＥＤ照明器具の色温度が調整されるので、人間工学的に快適な屋内環境を実現できる。
【００２９】
請求項１４の発明においては、各個人のＩＤ情報に優先順位が付けられており、制御手段は、同じエリア内に複数の人が存在している場合に、この優先順位に基づいて当該エリアの屋内環境を制御している。
【００３０】
この場合には、ＩＤ情報の優先順位に基づいて、すなわち、たとえば年配の人を優先するなどして、エリアの屋内環境が制御されることになるので、より細やかな調整が可能になる。
【００３１】
請求項１５の発明においては、エリア内に人が存在することをＩＤタグ読取手段とは別の方法によって検知するセンサ手段をエリア内にさらに備えており、制御手段が当該センサ手段の検知結果に基づいて制御を行っている。
【００３２】
請求項１５の発明によれば、ＩＤタグ読取手段からの読取結果に不具合があった場合でも、別のセンサ手段の検知結果により、その不具合を補うようにエリアの屋内環境を制御できるようになる。
【発明の効果】
【００３３】
以上のように、本発明に係る屋内環境制御システムによれば、ＩＤタグを携帯した人が屋内の領域内の或るエリアに入ると、当該エリアのＩＤタグ読取手段がＩＤタグからの信号を検知してＩＤ情報を読み取り、その読取結果（たとえば、どのエリアに何人の人が居るか、誰がどのエリアに居るかなど）に基づいて、制御手段がエリアごとの屋内環境（たとえば温度や湿度、照度など）を制御するようにしたので、建物内の人の配置に応じて建物内の屋内環境を効率的にかつ人間工学的に制御できるようになる。
【発明を実施するための最良の形態】
【００３４】
以下、本発明の実施例を添付図面に基づいて説明する。
図１ないし図６は、本発明の一実施例による屋内環境制御システムを説明するための図であって、図１は本実施例による屋内環境制御システムが適用された建物の屋内の或る領域を示す平面概略図、図２は図１の領域を６つのエリアに区画した例を示す平面概略図、図３は図１の詳細図、図４はエリア内における人の正確な位置を算出するための手法を説明するための図、図５は本システムの概略ブロック構成図、図６は本システムによる制御フローを説明するためのフローチャートである。
【００３５】
図１に示すように、建物１の内部において、一点鎖線で囲まれた領域２に本実施例による屋内環境制御システムが適用された場合を例にとって説明する。領域２は、仕切壁などで仕切られていないオープンスペース（つまり連続した一つの空間）であるが、図２の一点鎖線に示すように、たとえば６つに区画されたエリア（１）〜（６）から構成されている。
【００３６】
各エリア（１）〜（６）の中央には、図１および図３に示すように、ＩＤタグリーダとしてのＲＦＩＤ（radio frequency identification）タグリーダＲ１〜Ｒ６がそれぞれ配置されている。各ＲＦＩＤタグリーダＲ１〜Ｒ６は、それぞれのエリア内において天井の中央に取り付けられている。これらのＲＦＩＤタグリーダＲ１〜Ｒ６は、ＩＤタグとしてのＲＦＩＤタグｔ１〜ｔ４から発せられた電波を受信して、各ＲＦＩＤタグｔ１〜ｔ４にそれぞれ格納された各個人のＩＤ情報を読み取るための装置である。図１および図３中、各ＲＦＩＤタグリーダＲ１〜Ｒ６の検知範囲をそれぞれＤ１〜Ｄ６の円で示しており、各検知範囲Ｄ１〜Ｄ６は、各エリア（１）〜（６）（図２）をそれぞれ実質的にカバーしている。図１および図３に示す例では、ＲＦＩＤタグｔ１は、ＲＦＩＤタグリーダＲ１の検知範囲Ｄ１内に位置しており、ＲＦＩＤタグｔ２〜ｔ４は、ＲＦＩＤタグリーダＲ３およびＲ４の検知範囲Ｄ３およびＤ４内に位置している。
【００３７】
また、図４に示す例では、ＲＦＩＤタグｔ５が、ＲＦＩＤタグリーダＲ１、Ｒ２およびＲ３のそれぞれの検知範囲Ｄ１、Ｄ２およびＤ３内に位置している。この場合、ＲＦＩＤタグｔ５から発した電波の強度（信号強度）または受信時間（信号到達時間）をＲＦＩＤタグリーダＲ１、Ｒ２およびＲ３でそれぞれ検出することにより、ＲＦＩＤタグｔ５の正確な位置座標を、ＲＦＩＤタグリーダＲ１、Ｒ２、Ｒ３からのそれぞれ距離ｄ１、ｄ２、ｄ３を用いて、３点測距法で容易に算出できる。
【００３８】
なお、図１および図４のいずれの例においても、ＲＦＩＤタグリーダが受信するＲＦＩＤタグからの信号の強度が変化している場合や、信号到達時間が変化している場合には、ＲＦＩＤタグを携帯している人が移動していることが分かり、これとは逆に、信号強度や信号到達時間に変化がなければ、ＲＦＩＤタグを携帯している人が同じ場所に留まっていることが分かる。
【００３９】
ＲＦＩＤタグには、個人の識別番号（ＩＤ番号）、性別、年齢または特性のいずれか一つまたは二つ以上の情報が格納されている。ＲＦＩＤタグとしては、アクティブタグが好ましい。このアクティブＲＦＩＤタグの場合には、電池を内蔵していて自ら電波を発するので、受信距離を長くとることができる。また、電池を内蔵していることで、温湿度センサや光センサなどのセンサを取り付けることが可能であり、これにより、アクティブＲＦＩＤタグが置かれている環境（温度、湿度、照度など）の変化に応じて、屋内環境（屋内の温度、湿度または照度などのいずれか一つまたはこれらの二つ以上の組合せ）をリアルタイムで細やかに調整できるようになる。
【００４０】
図２に示すように、領域２内において、エリア（１）および（２）の中央にエアコンＡ１が配置され、エリア（３）および（４）の中央にエアコンＡ２が配置され、エリア（５）および（６）の中央にエアコンＡ３が配置されている。各エアコンＡ１、Ａ２、Ａ３はそれぞれのエリアの天井に取り付けられている。また、エリア（１）、（２）の天井にはＬＥＤ照明Ｌ１が、エリア（３）、（４）の天井にはＬＥＤ照明Ｌ２が、エリア（５）、（６）の天井にはＬＥＤ照明Ｌ３が、それぞれ設けられている。ここでは、各ＬＥＤ照明Ｌ１、Ｌ２、Ｌ３は、たとえば、それぞれ赤（Ｒ）、緑（Ｇ）および青（Ｂ）の３色からなるマルチチップの照明灯を多数配列したものが用いられている。
【００４１】
図５は、この屋内環境制御システムの概略ブロック構成図である。同図に示すように、本システムは、メインコントローラ（パソコン）ＭＣによって制御される。メインコントローラＭＣには、それぞれコントローラＣ１〜Ｃ４が接続されている。
【００４２】
コントローラＣ１には、ＲＦＩＤタグリーダＲ１〜Ｒ６が接続されている。これらのＲＦＩＤタグリーダＲ１〜Ｒ６は、ＲＦＩＤタグｔ１〜ｔ４から発せられた電波を受信する受信装置を有している。
【００４３】
コントローラＣ２には、エアコンＡ１、Ａ２、Ａ３が接続されている。コントローラＣ３には、ＬＥＤ電源回路Ｐ１を介してＬＥＤ照明Ｌ１が接続され、ＬＥＤ電源回路Ｐ２を介してＬＥＤ照明Ｌ２が接続され、ＬＥＤ電源回路Ｐ３を介してＬＥＤ照明Ｌ３が接続されている。各ＬＥＤ電源回路Ｐ１、Ｐ２、Ｐ３には、各ＬＥＤ照明Ｌ１、Ｌ２、Ｌ３が所望の色温度を発するように、色温度デバイスが組み込まれている。コントローラＣ４には、照度センサＳ１、Ｓ２および温湿度センサＳ３、Ｓ４などの各種センサが接続されている。
【００４４】
次に、本システムによる屋内環境制御方法について、図６のフローチャートを用いて説明する。
プログラムがスタートすると、まず、メインコントローラＭＣおよびコントローラＣ１、Ｃ２、Ｃ３のデータを初期化する等の初期設定がなされる。このとき、メインコントローラＭＣにおいては、さらに、現在が春夏秋冬のいずれであるのかを示す季節データの読み込みや、室内に設けられた温湿度センサからの温湿度データや照度センサからの照度データの読み込みも併せて行われる。
【００４５】
次に、ＲＦＩＤタグを携帯した人が領域２（図１）内に入ると、ＲＦＩＤタグリーダＲ１〜Ｒ６がＲＦＩＤタグからの電波を受信し、受信された各ＩＤタグ信号がコントローラＣ１に入力される。ここでは、ＲＦＩＤタグが温湿度センサおよび光センサを有しているので、これらのセンサからのセンサ信号も併せてコントローラＣ１に入力される。
【００４６】
図１および図３に示す例では、ＲＦＩＤタグリーダＲ１がＲＦＩＤタグｔ１からの電波を受信し、ＲＦＩＤタグリーダＲ３およびＲ４がＲＦＩＤタグｔ２、ｔ３、ｔ４からの電波を受信している。したがって、この場合、コントローラＣ１には、ＲＦＩＤタグｔ１のＩＤタグ信号およびセンサ信号がＲＦＩＤタグリーダＲ１から入力されるとともに、ＲＦＩＤタグｔ２、ｔ３、ｔ４の各ＩＤタグ信号および各センサ信号がＲＦＩＤタグリーダＲ３およびＲ４から入力される。また、このとき、ＲＦＩＤタグｔ１を携帯する人がＲＦＩＤタグリーダＲ１の付近に存在し、ＲＦＩＤタグｔ２、ｔ３、ｔ４を携帯する人がＲＦＩＤタグリーダＲ３およびＲ４の間に存在しているというプレゼンス情報も併せて入力される。
【００４７】
次に、コントローラＣ１は、各ＲＦＩＤタグリーダＲ１〜Ｒ６から入手した各ＩＤ情報および各センサ情報をメインコントローラＭＣに出力する。メインコントローラＭＣは、入手したＩＤ情報およびセンサ情報ならびに温湿度データに基づいてエアコン（ＡＣ）駆動制御信号を作成して、コントローラＣ２に出力する。コントローラＣ２は、入力されたＡＣ駆動制御信号に基づいて、エアコンＡ１、Ａ２、Ａ３を駆動制御する。
【００４８】
メインコントローラＭＣにより作成されるＡＣ駆動制御信号は、次のような法則にしたがって作成される。
ｉ）人が居るエリアのエアコンをオンにし、人が居ないエリアのエアコンをオフにする。
ii) エアコンが配置されたエリアの人数が設定人数を超えた場合に、エアコンの空調を強める（つまり、風量を「強」にする）。これとは逆に、設定人数以下の場合には、エアコンの空調を弱める（つまり、風量を「弱」にする）。
iii)エアコンが配置されたエリア内の人が移動している場合に、エアコンの空調を強める（つまり、風量を「強」にする）。これとは逆に、人が同じ場所に留まっている場合には、エアコンの空調を弱める（つまり、風量を「弱」にする）。
iv) ＩＤ情報に優先順位が付けられている場合には、上記ii)およびiii)よりも、優先順位を優先する。
【００４９】
図１および図３に示す例では、領域２のエリア（１）および（２）に一人の人が、エリア（３）および（４）に３人の人がそれぞれ存在しており、エリア（５）および（６）には人が存在していないので、法則ｉ）にしたがって、エアコンＡ１およびＡ２をオンにし、エアコンＡ３をオフにする。この場合には、人が居るエリアのみのエアコンが駆動されることになるので、建物内の空調を効率的に管理して省エネを実現できるようになる。
【００５０】
また、この例では、エリア内の設定人数を２名にした場合、エリア（１）および（２）内の人数は設定人数より少なく、エリア（３）および（４）内の人数は設定人数よりも多いため、法則ii)にしたがって、エアコンＡ１の風量は「弱」に設定され、エアコンＡ２の風量は「強」に設定される。このようにして、建物内の空調を効率的に管理して省エネを実現できるようになる。ただ、この場合において、もしエリア（１）および（２）内の人が移動している場合には、法則iii)にしたがって、エアコンＡ１の風量も「強」に設定される。これにより、建物内の空調をより効率的に管理できるようになる。
【００５１】
さらに、この場合において、エリア（３）および（４）内の３人の人の各ＩＤ情報に優先順位が付けられている場合には、上記ii)およびiii)の法則よりも優先して、当該優先順位にしたがって、エアコンＡ２の駆動制御が行われる。たとえば、優先順位が付けられているＩＤ情報が個人の年齢である場合、或る一定年齢以上の人が含まれているときには、空調が効きすぎないように空調が弱めに調整される。また、優先順位が付けられているＩＤ情報が個人の特性（たとえば暑がりか寒がりかなど）である場合、冷暖房の空調が弱めに空調が調整される。
【００５２】
図４に示す例では、領域２のエリア（１）および（２）に一人の人が存在しており、エリア（３）、（４）およびエリア（５）、（６）には人が存在していないので、法則ｉ）にしたがって、エアコンＡ１のみをオンにし、エアコンＡ２、Ａ３をオフにする。また、法則ii)にしたがって、エアコンＡ１の風量を「弱」にする。ただ、この場合において、もしエリア（１）および（２）内の人が移動している場合には、法則iii)にしたがって、エアコンＡ１の風量は「強」に設定される。
【００５３】
図６において、メインコントローラＭＣは、入手したＩＤ情報およびセンサ情報ならびに季節データおよび照度データに基づいてＬＥＤ駆動制御信号を作成して、コントローラＣ３に出力する。コントローラＣ３は、入力されたＬＥＤ駆動制御信号に基づいて、ＬＥＤ電源回路Ｐ１、Ｐ２、Ｐ３を駆動制御する。
【００５４】
メインコントローラＭＣにより作成されるＬＥＤ駆動制御信号は、次のような法則にしたがって作成される。
ｉ）人が居るエリアのＬＥＤ照明をオンにし、人が居ないエリアのＬＥＤ照明をオフにする。このとき、エリアの照度に応じて、ＬＥＤ照明の輝度を調整する。
ii) 季節データに基づいて、夏場は蛍光色に、冬場は昼光色になるように、ＬＥＤ照明の色温度デバイスを制御して色温度を調整する。
iii)ＬＥＤ照明が設けられたエリアの人数が設定人数を超えた場合に、ＬＥＤ照明の輝度を高めにする。これとは逆に、設定人数以下の場合には、ＬＥＤの輝度を低めにする。
iv) ＩＤ情報に優先順位が付けられている場合には、上記iii)よりも、優先順位を優先する。
【００５５】
図１および図３に示す例では、領域２のエリア（１）および（２）に一人の人が、エリア（３）および（４）に３人の人がそれぞれ存在しており、エリア（５）および（６）には人が存在していないので、法則ｉ）にしたがって、ＬＥＤ照明Ｌ１およびＬ２をオンにし、ＬＥＤ照明Ｌ３をオフにする。この場合には、人が居るエリアのみのＬＥＤ照明がオンされることになるので、建物内の照明を効率的に管理して省エネを実現できるようになる。また、このとき、エリアの照度に応じて、ＬＥＤ照明Ｌ１およびＬ２の輝度を調整する。すなわち、たとえば外光がエリア内に差し込んで照度が明るい場合には、輝度を下げる。これにより、建物内の照明をリアルタイムで細やかに管理できるようになって、省エネを実現できる。
【００５６】
さらに、法則ii)にしたがって、ＬＥＤ照明Ｌ１およびＬ２が夏場は蛍光色に、冬場は昼光色になるように、色温度を調整する。これにより、夏場は涼しげな色で照明されるとともに、冬場は暖かみのある色で照明されることになって、当該エリアの人に快適な空間を提供できるので、人間工学的に快適な屋内環境を実現できる。
【００５７】
また、この例では、エリア内の設定人数を２名にした場合、エリア（１）および（２）内の人数は設定人数より少なく、エリア（３）および（４）内の人数は設定人数よりも多いため、法則iii)にしたがって、ＬＥＤ照明Ｌ１の輝度は低めに設定され、ＬＥＤ照明Ｌ２の輝度は高めに設定される。
【００５８】
なお、この場合において、エリア内の設定人数を４名にした場合には、エリア（３）および（４）内の人数も設定人数より少なくなるため、法則iii)にしたがって、ＬＥＤ照明Ｌ２の輝度は低めに設定されるが、このとき、エリア（３）および（４）内の３人の人の各ＩＤ情報に優先順位が付けられている場合には、上記iii)の法則よりも優先して、当該優先順位にしたがって、ＬＥＤ照明Ｌ２の駆動制御が行われる。たとえば、優先順位が付けられているＩＤ情報が個人の年齢である場合、或る一定年齢以上の人が含まれているときには、離れている文字がよく見えるように、輝度が高めに設定される。
【００５９】
図４に示す例では、領域２のエリア（１）および（２）に一人の人が存在しており、エリア（３）、（４）およびエリア（５）、（６）には人が存在していないので、法則ｉ）にしたがって、ＬＥＤ照明Ｌ１のみをオンにし、ＬＥＤ照明Ｌ１、Ｌ２をオフにする。また、法則ii)にしたがって、ＬＥＤ照明Ｌ１の輝度を低めにする。
【００６０】
このような本実施例によれば、人がＲＦＩＤタグを携帯したまま、建物内の或るエリアに入ると、当該エリアのＲＦＩＤタグリーダがＲＦＩＤタグからの信号を検知してＩＤ情報を読み取る。これにより、どのエリアに人が居るか、また何人の人が居るか、さらには誰がどのエリアに居るかなどの情報（プレゼンス情報）がメインコントローラＭＣに入力される。メインコントローラＭＣは、当該プレゼンス情報に基づいて、エリアごとの屋内環境を制御する。すなわち、メインコントローラＭＣは、人が居るエリアについてのみ空調や照明をオンにするとともに、人数や人の性別、年齢、特性に応じてそのエリアの温度や湿度、照度などを調整する。このようにして、建物内の屋内環境を効率的にかつ人間工学的に制御できるようになる。
【００６１】
本システムでは、図６に示す制御フローを一定時間（たとえば１分間）ごとに繰り返す。これにより、ＲＦＩＤタグを携帯した人の現在位置情報（誰がどのエリアに居るのか、各エリアに何人の人が居るのか、人が移動中であるか否かなど）に応じて建物内の空調および照明などの屋内環境をリアルタイムで制御できるようになる。
【００６２】
前記実施例では、ＲＦＩＤタグとして、温湿度センサや光センサを備えたセンサ付ＲＦＩＤタグが用いられるので、ＲＦＩＤタグが置かれている環境（温度、湿度、照度など）の変化に応じて、屋内環境をリアルタイムで細やかに調整できるようになる。
【００６３】
前記実施例では、ＲＦＩＤタグリーダが、ＲＦＩＤタグからの信号強度または信号到達時間を読み取っているので、信号強度の変化や信号到達時間の変化の有無により、ＲＦＩＤタグを携帯している人が移動しているのか、または同じ場所に留まっているのかが分かるため、そのような人の動きに応じた屋内環境の調整が可能になる。また、この場合、各ＲＦＩＤタグリーダの読取結果（すなわち、信号強度または信号到達時間の差）により、ＲＦＩＤタグを携帯している人の位置座標を正確に算出できるようになるので、より細やかな屋内環境制御が行えるようになる。
【００６４】
前記実施例では、ＩＤ情報の優先順位に基づいて、エリアの屋内環境を制御できるので、より細やかな調整が可能になる。
【００６５】
なお、前記実施例では、建物内部の領域を構成するエリアが複数の場合を例にとって説明したが、本発明の適用はこれには限定されず、エリアは一つでもよい。
【００６６】
前記実施例では、ＲＦＩＤタグリーダを天井（したがって同一平面内）にのみ設けて３点測距法を実現する場合を例にとって説明したが、天井と床との間の位置（したがって同一平面以外の位置）にさらにＲＦＩＤタグリーダを設けることにより、４点測距法を実現できるようにして、３次元的にＲＦＩＤタグの位置座標を算出するようにしてもよい。
【００６７】
前記実施例では、ＲＦＩＤタグとして、ＲＦＩＤタグが用いられた場合を例にとって説明したが、本発明は、無線ＬＡＮや超音波、ＧＰＳまたはこれらに類するものを用いたＩＤタグを使用する場合にも同様に適用できる。
【００６８】
前記実施例では、エリア内に人が居ることをＲＦＩＤタグリーダのみによって検知するようにした例を示したが、本発明の適用においては、ＲＦＩＤタグリーダとは別の方法によってエリア内の人を検知するセンサ手段をさらに設け、当該センサ手段の検知結果に基づいて制御手段が制御を行うようにしてもよい。
【００６９】
すなわち、たとえば、センサ手段として人の体温を検知するいわゆる人感センサ（たとえば焦電センサ）と組み合わせることにより、たとえば、人がＲＦＩＤタグを身体から外して放置してその場所から立ち去っているとき、ＲＦＩＤタグリーダがＲＦＩＤタグを検知するという不具合が生じた場合でも、人感センサが人を検知していないために、人がその場所に居ないと判断されることになり、これにより、屋内環境を適切に制御できるようになる。
【００７０】
前記実施例では、本システムが通常の職場または会議室に適用された例を示したが（図３参照）、本発明は、トイレや更衣室などにも適用可能である。この場合、ＩＤ情報として読み込まれた個人の性別を利用することにより、トイレや更衣室の入口付近に設けられたＲＦＩＤタグリーダが、接近する人の性別を読み取ることにより、その性別に応じて紳士用または婦人用のいずれか一方の部屋の照明および空調がオンにされるとともに、各部屋内で照明および空調が制御される。
【００７１】
前記実施例では、ＬＥＤ照明が用いられた例を示したが、照明器具としては、ＬＥＤ照明以外の照明器具を用いるようにしてもよく、この場合、調光機能を有しているものが好ましい。
【図面の簡単な説明】
【００７２】
【図１】本発明の一実施例による屋内環境制御システムが適用された建物の内部の或る領域を示す平面概略図である。
【図２】図１の領域を６つのエリアに区画した状態を示す平面概略図である。
【図３】図１の詳細図である。
【図４】エリア内における人の正確な位置を算出するための手法を説明するための図である。
【図５】本システムの概略ブロック構成図である。
【図６】本システムによる制御フローを説明するためのフローチャートである。
【符号の説明】
【００７３】
１：  建物
２：  領域
（１）〜（６）：  エリア
ｔ１〜ｔ５：  ＲＦＩＤタグ
Ｒ１〜Ｒ６：  ＲＦＩＤタグリーダ（ＩＤタグ読取手段）
Ｄ１〜Ｄ６：  検知範囲
Ａ１〜Ａ３：  エアコン（空調機器）
Ｌ１〜Ｌ３：  ＬＥＤ照明（証明器具）
Ｐ１〜Ｐ３：  ＬＥＤ電源回路
Ｓ１，Ｓ２：  照度センサ
Ｓ３，Ｓ４：  温湿度センサ
Ｃ１〜Ｃ４：  コントローラ（制御手段）
ＭＣ：  メインコントローラ（制御手段）
【図１】
2008281239.tif 000003
【図２】
2008281239.tif 000004
【図３】
2008281239.tif 000005
【図４】
2008281239.tif 000006
【図５】
2008281239.tif 000007
【図６】
2008281239.tif 000008